(57)【要約】      （修正有）【課題】清掃、設置がしにくく、美観に欠け、段差により蹴られてずれやすいという欠点を解決する使い捨て式液体保持フロアマットを提供する。【解決手段】透水層１０１、吸水層２０１、防水層３０１、粘着層４０１を含み、透水層１０１は、薄片状不織布であり、吸水層２０１の上方位置に重ねて設置され、吸水層２０１は、親水性薄片材料で構成され、透水層１０１と防水層３０１の間に重ねて設置され、防水層３０１は、防水フィルム材料で構成され、吸水層２０１と粘着層４０１の間に重ねて設置され、粘着層４０１は、接着剤材料で構成され、防水層３０１の下方位置に重ねて設置され、透水層１０１、吸水層２０１、防水層３０１、粘着層４０１が一体として粘着結合されると共に、辺縁が封鎖されず、吸水層２０１中に消臭剤が含有されている。【選択図】図１
0003218347.tif 000002
【実用新案登録請求の範囲】
【請求項１】
使い捨て式液体保持フロアマットであって、透水層と、吸水層と、防水層と、粘着層とを含み、
前記透水層は、少なくとも１つの薄片状不織布であり、前記吸水層の上方位置に重ねて設置され、
前記吸水層は、少なくとも１つの親水性薄片材料で構成され、前記透水層と防水層の間に重ねて設置され、
前記防水層は、少なくとも１つの防水フィルム材料で構成され、前記吸水層と粘着層の間に重ねて設置され、
前記粘着層は、少なくとも１つの接着剤材料で構成され、前記防水層の下方位置に重ねて設置され、
前記透水層、前記吸水層、前記防水層、前記粘着層が一体として粘着結合されると共に、辺縁が封鎖されていない構造であり、かつ前記吸水層中に消臭剤が含有されていることを特徴とする、使い捨て式液体保持フロアマット。
【請求項２】
前記透水層の表面に、印刷または混繊による濃淡が入り混じった暗色迷彩柄を備え、その濃淡色が該透水層の表面の湿潤時と乾燥時の間の色の範囲にあり、かつ該透水層の表面色が濃い色を主な色調とすることを特徴とする、請求項１に記載の使い捨て式液体保持フロアマット。
【請求項３】
前記吸水層の面積が前記透水層、前記防水層、または前記粘着層のうち少なくとも１つの面積より小さい、またはそれに等しいことを特徴とする、請求項１に記載の使い捨て式液体保持フロアマット。
【請求項４】
前記防水層の防水フィルム材料が、防水ポリエチレンフィルム、防水ポリプロピレンフィルム、防水透湿ポリエチレンフィルムまたは防水透湿ポリプロピレンフィルムであることを特徴とする、請求項１に記載の使い捨て式液体保持フロアマット。
【請求項５】
前記粘着層の接着剤材料が、辺縁強化範囲、局部範囲、全面範囲のうち少なくとも１つの範囲にコーティングされたコーティング層である、ことを特徴とする、請求項１に記載の使い捨て式液体保持フロアマット。
【請求項６】
前記透水層、該吸水層、該防水層、該粘着層が一体として粘着結合され、その少なくとも１つの層と層の間に構造接着層が設けられ、該構造接着層が一部または全面の溶融構造または接着構造であることを特徴とする、請求項１に記載の使い捨て式液体保持フロアマット。
【請求項７】
少なくとも１つの辺縁端部が開口した、または開口していない形状であることを特徴とする、請求項１に記載の使い捨て式液体保持フロアマット。
【請求項８】
外観構造がシート状またはロール状であり、該ロール状に一定長さの間隔で切断線が設けられたことを特徴とする、請求項１に記載の使い捨て式液体保持フロアマット。
【請求項９】
外観形状が矩形、矩形丸角の形状であることを特徴とする、請求項１に記載の使い捨て式液体保持フロアマット。
【請求項１０】
前記吸水層中に芳香剤が含有されていることを特徴とする、請求項１に記載の使い捨て式液体保持フロアマット。
【考案の詳細な説明】
【技術分野】
【０００１】
本考案は、家庭、公共の場所、交通輸送機関の乾湿分離が望ましい環境に用い、特に出入口、台所、浴室など湿りやすい位置に使用する、除臭、吸水性、粘着性を備えた使い捨て式液体保持フロアマットに関する。
【背景技術】
【０００２】
家庭や公共の場所で、トイレや台所は濡れたり滑りやすくなったりしやすい場所であり、公共の場所の例えば商業施設の男子トイレなどでは、小便器周囲の床の上に尿液が付着したり、洗面台下の床に使用者が手を洗った後に払った水滴が落ちたりしやすく、往々にして定期的にモップを使用した手作業で床の汚れを拭く必要があり、手間とコストがかかるだけでなく、掃除中は使用者が使用できなくなる。
従って、このような場所にはフロアマットを敷くことが多いが、現在開発されているフロアマットは美観、除臭、吸水性、粘着性、薄型化を同時に実現した製品がまだなく、市場のニーズを満たすことができない。
【０００３】
従来、多種類の交換式フロアマットが開発されている。
例えば、特許文献１には、清潔層とマット本体を含み、該清潔層の組成物が熱可塑性ゴム、樹脂、バインダーの三者を含み、該三者を混合して定型し、該清潔層に粘着性と可伸縮性を具備させ、該清潔層がマット本体の上面の上に設置されたフロアマットが開示されている。
使用者はこのフロアマットを床の上に固定し、粘着性を備えた清潔層により靴底等の物体表面の細かい塵粒子を除去するとともに、清潔層の組成物により水洗い可能でその粘着性が破壊されることなく繰り返し使用することができる。
【０００４】
また、特許文献２に開示された交換式フロアマットがあるが、これは分離して交換・更新が可能なフロアマットであり、主に、下層固定ユニットと、上層交換式ユニットを含む。下層固定ユニットは、滑り止め層と、該滑り止め層の上方に設置された離型フィルムを含み、かつ該滑り止め層と離型フィルムの周囲に沿って軟質枠体が設置される。上層交換式ユニットは、感圧接着剤と、該感圧接着剤の上方に設置されたカーペット層を含み、感圧接着剤が下層固定ユニットの離型フィルムの着脱に用いられる。
この交換式フロアマットは、その独特な設計により、吸油、吸水及び滑り止めの効果を達することができるほか、汚れた上層交換式ユニットを分離して交換し、別の上層交換式ユニットに更新することで、フロアマット材料の節約もできる実用的進歩性を達成する。  しかし、盆状物で液体を集め、盆状物の上方を吸収物で覆う必要があり、盆状物は一定の高さを備えているため、使用者がフロアマットを踏むときに盆状物を蹴ってしまう可能性が高く、使用上不便で、使用者が踏んで使用する意思に影響しやすい。
【０００５】
さらに、吸水性等と防振性を備えたフロアマットが開発されており、例えば、特許文献３に開示された改良型マットは、複合層と、布層と、滑り止め層で構成された無毒なマットで、吸水性、吸油性、防水性、防油性、吸振性を調節でき、かつ滑り止め効果を備えた、多用途なマットである。
しかしながら、該マットは主に体育や３C吸振パッドとして応用されるもので、その滑り止め層の構造はアスリートの踏み込み吸収や３C物品の吸振要件に対応するために一定の厚みが必要であり、高さが比較的高く、やはり使用者がフロアマットを踏むときにフロアマットの辺縁を蹴ってしまい、フロアマットが裏返りやすく、家庭用または公共の濡れやすい区域での使用に余り適していない。
【先行技術文献】
【特許文献】
【０００６】
【特許文献１】台湾特許公告第Ｍ４０６４０３号明細書
【特許文献２】台湾特許公告第Ｍ４０３９７２号明細書
【特許文献３】台湾特許公告第Ｍ５０５８７３号明細書
【考案の概要】
【考案が解決しようとする課題】
【０００７】
本考案の考案者は、建材及び衛材産業に長年従事した経験を通じ、家庭及び公共エリアの濡れやすい床の掃除は環境を乾燥した清潔な状態に保つために人力に依存する必要性があることを深く理解している。
本考案が解決しようとする課題は、現在使用されているフロアマットの、清掃、設置がしにくく、美観に欠け、段差により蹴られてずれやすいという欠点を解決する使い捨て式液体保持フロアマットを提供することにある。
【課題を解決するための手段】
【０００８】
本考案の使い捨て式液体保持フロアマットは、透水層と、吸水層と、防水層と、粘着層とを含み、前記透水層は、少なくとも１つの薄片状不織布であり、前記吸水層の上方位置に重ねて設置され、前記吸水層は、少なくとも１つの親水性薄片材料で構成され、前記透水層と防水層の間に重ねて設置され、前記防水層は、少なくとも１つの防水フィルム材料で構成され、前記吸水層と粘着層の間に重ねて設置され、前記粘着層は、少なくとも１つの接着剤材料で構成され、前記防水層の下方位置に重ねて設置され、前記透水層、前記吸水層、前記防水層、前記粘着層が一体として粘着結合されると共に、辺縁が封鎖されていない構造であり、かつ前記吸水層中に消臭剤が含有されている。
【０００９】
前記透水層の表面に、印刷または混繊による濃淡が入り混じった暗色迷彩柄を備え、その濃淡色が該透水層の表面の湿潤時と乾燥時の間の色の範囲にあることが望ましい。
前記吸水層の面積が前記透水層、前記防水層、または前記粘着層のうち少なくとも１つの面積より小さい、またはそれに等しいことがある。
前記防水層の防水フィルム材料は、防水ポリエチレンフィルム、防水ポリプロピレンフィルム、防水透湿ポリエチレンフィルムまたは防水透湿ポリプロピレンフィルムであってもよい。
【００１０】
前記粘着層の接着剤材料は、辺縁強化範囲、局部範囲、全面範囲のうち少なくとも１つの範囲にコーティングされたコーティング層とすることがある。
前記透水層、該吸水層、該防水層、該粘着層が一体として粘着結合され、その少なくとも１つの層と層の間に構造接着層が設けられ、該構造接着層が一部または全面の溶融構造または接着構造でもよい。
少なくとも１つの辺縁端部が開口した、または開口していない形状である。
外観構造がシート状またはロール状であり、該ロール状に一定長さの間隔で切断線が設けられることが好ましい。
外観形状は矩形、矩形丸角の形状としてもよい。
前記吸水層中に芳香剤が含有されるとよい。
【考案の効果】
【００１１】
本考案の使い捨て式液体保持フロアマットは、内層の吸水層が周囲の液体吸収と除臭の機能を備え、底部の防水層及び粘着層が液体隔離と粘着の機能を備えているため、美観、除臭、吸水、粘着、薄型化を同時に具備している。
【図面の簡単な説明】
【００１２】
【図１】本考案の実施例１を示す使い捨て式液体保持フロアマットの分解斜視図である。
【図２】本考案の実施例１を示す使い捨て式液体保持フロアマットの平面図である。
【図３】本考案の実施例２を示す使い捨て式液体保持フロアマットの分解斜視図である。
【図４】本考案の実施例２を示す使い捨て式液体保持フロアマットの平面図である。
【図５】本考案の実施例３を示す使い捨て式液体保持フロアマットの分解斜視図である。
【図６】本考案の実施例３を示す使い捨て式液体保持フロアマットの平面図である。
【図７】本考案の使い捨て式液体保持フロアマットの断面図である。
【考案を実施するための形態】
【００１３】
以下、図面に基づいて本考案の実施例を詳細に説明する。
この技術分野を熟知した者であれば本明細書に開示された内容から本考案の効果を容易に理解できるであろう。本考案は、以下の実施例と異なる具体的な実施例に応用することができ、本考案の要旨を逸脱することなく、各細部にも各種の修飾及び変更が可能である。
【００１４】
図１と図２は、本考案の実施例１である矩形丸角の使い捨て式液体保持フロアマットの分解斜視図と平面図である。
これらの図から分かるように、使い捨て式液体保持フロアマットは、少なくとも１つの薄片状不織布であり、吸水層２０１の上方位置に重ねて設置された透水層１０１と、少なくとも１つの親水性薄片材料で構成され、透水層１０１と防水層３０１の間に重ねて設置された吸水層２０１と、少なくとも１つの防水フィルム材料で構成され、吸水層２０１と粘着層４０１の間に重ねて設置された防水層３０１と、少なくとも１つの接着剤材料で構成され、防水層３０１の下方位置に重ねて設置された粘着層４０１を含む。
透水層１０１、吸水層２０１、防水層３０１、粘着層４０１は一体として粘着結合されると共に、辺縁が封鎖されていない構造で、該辺縁が封鎖されていない構造により各層間の四周に漏れを防止する密封処理がなく、加工工程を減少することができる。
また、吸水層２０１中に消臭剤が含有されている。
【００１５】
図２の破線部分は吸水層２０１を示し、吸水層２０１の面積は透水層１０１、防水層３０１または粘着層４０１のうち少なくとも１つの面積より小さい。吸水層２０１の面積が特定区域に限られ、吸収を強化するとともに、吸水材料の使用を減少し、コストと資源の浪費を節約することができる。
透水層１０１は表面または裏面に印刷された暗色迷彩柄を備え、該暗色迷彩柄は布風の色柄、レンガ風の色柄、またはカーペット風の色柄である。
防水層３０１の防水フィルム材料は防水ポリエチレンフィルム、防水ポリプロピレンフィルム、防水透湿ポリエチレンフィルムまたは防水透湿ポリプロピレンフィルムである。
【００１６】
粘着層４０１の接着剤材料は、辺縁強化範囲６０１（例えば図１の辺縁を囲む区域の強化接着剤材料コーティング層）、局部範囲、全面範囲のうち少なくとも１つの範囲にコーテッィングされたコーティング層である。
使い捨て式液体保持フロアマットは、少なくとも１つの辺縁端に開口を備えた、または開口を備えていない形状である。
また、使い捨て式液体保持フロアマットの外観構造はシート状またはロール状であり、ロール状の場合は、一定長さの間隔で切断線が設けられる。
さらに、吸水層２０１中に芳香剤を含有することができる。
【００１７】
図３と図４は、実施例２の矩形丸角の使い捨て式液体保持フロアマットの分解斜視図及び平面図である。
実施例２の使い捨て式液体保持フロアマットの構造は実施例１のものとほぼ同じであるが、吸水層２０２が少なくとも１つの親水性薄片材料で構成され、その面積が透水層１０１、防水層３０１または粘着層４０１のうち少なくとも１つの面積に等しい点が異なる。
【００１８】
図５と図６は、実施例３の矩形の使い捨て式液体保持フロアマットの分解斜視図及び平面図である。
これらの図から分かるように、実施例３の使い捨て式液体保持フロアマットの構造は実施例２のものとほぼ同じであるが、辺縁端部が未開口の矩形形状であり、かつ吸水層２０３が少なくとも１つの親水性薄片材料で構成され、その面積が透水層１０２、防水層３０２または粘着層４０２のうち少なくとも１つの面積に等しい点が異なる。
また、辺縁の囲まれた区域が辺縁強化範囲６０１であり、該区域を接着剤材料のコーティング層で強化し、フロアマットの粘着力を強くして外力で持ち上がりにくくすることができる。
【００１９】
図７に示すように、透水層１０１、１０２、吸水層２０１、２０２、２０３、防水層３０１、３０２及び粘着層４０１、４０２は一体として粘着結合され、そのうち少なくとも１つの層と層の間に構造接着層５０１が設置される。構造接着層５０１は、一部または全面の溶融構造または接着構造である。
図７に示す例では、透水層１０１、１０２と吸水層２０１、２０２、２０３の間、及び吸水層２０１、２０２、２０３と防水層３０１、３０２の間に構造接着層５０１が設置される。
また、粘着層４０１、４０２は防水層３０１、３０２の表面にコーティングし、使い捨て式液体保持フロアマットを設置面に一体として粘着結合する。
【００２０】
本考案の使い捨て式液体保持フロアマットの実際の応用場面について理解を深めるために、男子トイレの小便器前の使用した場合を例として挙げる。
図１に示す実施例１の使い捨て式液体保持フロアマットを小便器前に敷き、その弧形開口箇所を小便器と床との境界箇所に合わせ、敷くときに小便器の形状の変化に対応する。
透水層１０１が暗色迷彩柄を備えているため、表面に付着した尿液や水汚れが目に付きにくい視覚効果が得られる。該迷彩柄は印刷方式または材料の混繊方式を利用し、透水層１０１の表面に濃淡が入り混じった色柄を表現させ、その濃淡色は透水層１０１の表面が湿潤時と乾燥時の間の色の範囲にあり、汚れた感じを抑える。かつ透水層１０１の表面色は濃い色を主な色調とし、使用者に水汚れの痕跡が目に付きにくくする視覚効果を強化する。
【００２１】
かつ、液体を中間の吸水層２０１中に円滑に導入して、吸水層２０１内に吸収させる。液体が過多の場合は下層の防水層３０１へと流れるが、防水フィルム材料があるため液体を遮断して床に染み出ないようにすることができる。
防水層３０１に相隣して下方には粘着層４０１が設置され、粘着と滑り止めの効果を備えているため、使い捨て式液体保持フロアマットを敷いて使用する場合、使用者が滑って負傷しないようにすることができる。
【００２２】
この使い捨て式液体保持フロアマットは、掃除しやすく、敷きやすく、美観を備え、薄型化されているため厚みによる段差が小さく、使用者に蹴られてずれを生じにくい特徴を備えており、これまでの従来技術と差別化された、新規性、進歩性、実用性を備えている。
また、透水層表面の印刷柄で水汚れが目に付き難く、内層の吸水層が環境の液体を吸収し、底部の防水層及び粘着層が液体の隔離と粘着機能を確実に提供することができ、その全体的構造は同類製品にこれまで見られたことがない。
【００２３】
以上は、本考案の最良の実施例を説明するものであり、これを以って本考案の権利範囲を限定することはできず、実用新案登録請求の範囲を逸脱しない変化や修飾はすべて本考案の権利範囲内に含まれる。
【符号の説明】
【００２４】
１０１、１０２  透水層
２０１、２０２、２０３  吸水層
３０１、３０２  防水層
４０１、４０２  粘着層
５０１  構造接着層
６０１  辺縁強化範囲
【図１】
0003218347.tif 000003
【図２】
0003218347.tif 000004
【図３】
0003218347.tif 000005
【図４】
0003218347.tif 000006
【図５】
0003218347.tif 000007
【図６】
0003218347.tif 000008
【図７】
0003218347.tif 000009